(57)【要約】  【課題】  カメラレコーダ等の情報記録装置において、半導体メモリを着脱型の記憶媒体として使用されているが、大容量媒体は価格が高く、長時間記録を実現しにくかった。  【解決手段】  第２のメモリ６を設け、着脱可能な第１のメモリ４が満杯になったら第２のメモリ６に臨時記録すると供に第１のメモリを新たなものへ交換を促す警告表示を行い、新たなメモリ装着後は臨時記録されたデータを第１のメモリへ転送することにより複数の記録媒体に連続性を保った状態で長時間記録を実現する。【選択図】  図１
2005108371.tif 000002
【特許請求の範囲】
【請求項１】
着脱可能な第１の記録媒体と、
第２の記録媒体と、
警告情報を表示する表示手段と、
デジタル形態の映像信号および音声信号並びに制御信号等からなるデジタルストリーム信号を生成する圧縮データ生成手段と、
前記圧縮データ生成手段から供給される圧縮データを前記第１の記録媒体に記録する第１の記録処理と、前記圧縮データを前記第２の記録媒体に記録する第２の記録処理と、前記第２の記録媒体に記録されたデータを前記第１の記録媒体へ転送記録処理する第３の記録処理とを制御するコントローラとを備え、
前記第１の記録処理実行中に前記第１の記録媒体の書き込み量が所定量に達した際、前記第２の記録処理を開始するとともに、前記表示手段に第１の記録媒体の交換を促す警告表示を行い、前記第２の記録処理実行中に第１の記録媒体が新たな記録媒体に交換された場合、第３の記録処理を実行する情報記録装置。
【請求項２】
前記第２の記録処理実行中は、前記第２の記録媒体の書き込み可能残量を前記デジタルストリーム信号の記録レートで除算した時間情報として表示する請求項１記載の情報記録装置。
【請求項３】
前記第１の記録処理、前記第２の記録処理及び前記第３の記録処理が実行されていることが、前記表示手段によって判別表示される請求項１乃至３記載の情報記録装置。
【発明の詳細な説明】
【技術分野】
【０００１】
本発明は、情報として入出力されるデジタルストリーム信号を、着脱可能な記録媒体に対して記録する情報記録装置に関する。
【背景技術】
【０００２】
従来から、パーソナルコンピュータなどのコンピュータ機器においては、コンピュータ本体に内設された専用のハードディスクや固定メモリ、また着脱型記録媒体としてフレキシブルディスク等、種々の記録媒体が利用されていた。
【０００３】
またビデオテープレコーダ（以下、ＶＴＲと称す）ではカセット式で取り扱いが容易であり、コストメリットもあり、大容量の映像情報データを記録する目的で、過去から広くテープ媒体を利用していた。
【０００４】
近年では、アナログからデジタル信号処理になりデータファイルの様に記録再生できる技術が用いられるようになったこともあり、アクセス性の面でＤＶＤ−ＲＡＭ等の光ディスク、さらにはＳＤカード等の半導体メモリも広くテープ媒体に代わって利用されるようになってきている。
【０００５】
これら従来の情報記録装置としては、複数記録媒体を効率よく切り換えて多目的な記録再生を行う情報記録再生装置が記載されている（例えば、特許文献１参照）。
【特許文献１】特開２００２−１７５６６５号公報
【発明の開示】
【発明が解決しようとする課題】
【０００６】
このＳＤカード等の半導体メモリを利用した情報記録装置では、テープ媒体と比較して数々の優れた特徴を有するが、記録媒体単体の記録容量が少ないため、大容量記録に課題があった。このような情報記録装置（以下、ビデオカメラレコーダを例として説明していく）で長時間の映像音声情報を連続して記録するためには大容量のメモリを必要とし、記録媒体のコストが膨大にかかったり、また記録媒体を複数個装填する構成の場合には、消費電力の増加を招いたり、機器を大型化してしまう等の影響も与えてしまっていた。
【０００７】
本発明は、着脱可能な記録媒体の記憶容量を大容量にせずとも、長時間の連続した映像音声記録を可能とする有用な機能を提供することを目的とする。
【課題を解決するための手段】
【０００８】
この課題を解決するために本発明は、着脱可能な第１の記録媒体と、第２の記録媒体と、警告情報を表示する表示手段と、デジタル形態の映像信号および音声信号並びに制御信号等からなるデジタルストリーム信号を生成する圧縮データ生成手段と、圧縮データ生成手段から供給される圧縮データを第１の記録媒体に記録する第１の記録処理と、圧縮データを第２の記録媒体に記録する第２の記録処理と、第２の記録媒体に記録されたデータを第１の記録媒体へ転送記録処理する第３の記録処理とを制御するコントローラと、を有し、第１の記録処理実行中に第１の記録媒体の書き込み量が所定量に達した際、第２の記録処理を開始するとともに、表示手段に第１の記録媒体の交換を促す警告表示を行い、前記第２の記録処理実行中に第１の記録媒体が新たな記録媒体に交換された場合、第３の記録処理を実行する。
【０００９】
本構成によって、第１の着脱型記録媒体の記録が所定量に達したら、一時的に第２の記録媒体に記録を行う。そしてこの第２の記録媒体が満杯になるまでに新たに第１の着脱型記録媒体が交換装着されると、一時的に記録されたデータを第２の記録媒体から第１の記録媒体へ転送し、完了後は連続性を保って生成されている圧縮データの記録を継続する。これにより、着脱可能な第１の着脱型記録媒体はそれほど大容量媒体とせずとも連続的な長時間記録が可能になる。
【発明の効果】
【００１０】
本発明によれば、大容量の記録媒体でなくても連続性を保って記録ができ、しかも着脱型の記録媒体交換を促す警告表示をすることで操作者へ安心感を与えたり操作の失敗が発生しにくいという有利な効果が得られる。
【発明を実施するための最良の形態】
【００１１】
本発明の請求項１に記載の発明は、着脱可能な第１の記録媒体と、第２の記録媒体と、警告情報を表示する表示手段と、デジタル形態の映像信号および音声信号並びに制御信号等からなるデジタルストリーム信号を生成する圧縮データ生成手段と、前記圧縮データ生成手段から供給される圧縮データを前記第１の記録媒体に記録する第１の記録処理と、前記圧縮データを前記第２の記録媒体に記録する第２の記録処理と、前記第２の記録媒体に記録されたデータを前記第１の記録媒体へ転送記録処理する第３の記録処理とを制御するコントローラとを備え、前記第１の記録処理実行中に前記第１の記録媒体の書き込み量が所定量に達した際、前記第２の記録処理を開始するとともに、前記表示手段に第１の記録媒体の交換を促す警告表示を行い、前記第２の記録処理実行中に第１の記録媒体が新たな記録媒体に交換された場合、第３の記録処理を実行する情報記録装置としたものであり、第１の記録媒体を次々に交換することで、長時間記録を複数の記録媒体に対して連続性を保って可能になるという作用を有する。
【００１２】
請求項２に記載の発明は、前記第２の記録処理実行中は、前記第２の記録媒体の書き込み可能残量を前記デジタルストリーム信号の記録レートで除算した時間情報として表示する請求項１記載の情報記録装置としたものであり、第１の着脱型記録媒体を新たな記録媒体に交換する際、前回記録したデータと連続性を保った記録が可能となる残り作業時間が表示されることになり、操作者に余裕と安心感を与えるという作用を有する。
【００１３】
請求項３に記載の発明は、前記第１の記録処理、前記第２の記録処理及び前記第３の記録処理が実行されていることが、前記表示手段によって判別表示される請求項１乃至３記載の情報記録装置としたものであり、操作者が記録すべきデータがどの記録媒体に対して記録がなされているのか、またはどの記録処理が動作しているのかを知ることができ、操作者に対して安心感を与えたり、誤った操作を予防したりすることができるという作用を有する。
【００１４】
以下、本発明の実施の形態について、図１から図５を用いて説明する。
【００１５】
図１は、本実施の形態の情報記録装置のブロック図である。本実施の形態では、半導体メモリカードを着脱可能な記録媒体として用いたカメラレコーダを例にして説明する。図２は、図１のコントローラ８における撮影（ＲＥＣ）モード処理の概要を示したフローチャート図である。図３は、図２のフローチャートにおける第１の記録モード処理１００の制御処理を示したフローチャート図である。図４は、図２のフローチャートにおける第２の記録モード処理２００の制御処理を示したフローチャート図である。図５は、図２のフローチャートにおける第３の記録モード処理３００の制御処理を示したフローチャート図である。
【００１６】
図１において、圧縮データ生成手段１では、撮影する映像情報や音声情報がエンコードされデジタル圧縮されたデジタルストリーム（以下、圧縮データと称す）の形態で、圧縮データバッファ２へそのデータを供給している。この記録すべき圧縮データは、データバス３に流されており、第１のリードライト回路５と第２のリードライト回路７によって、それぞれ第１のメモリ４、または第２のメモリ６がリードライトできる構成になっている。これら第１のリードライト回路５と第２のリードライト回路７はコントローラ８によって制御され、圧縮データバッファ２から供給される圧縮データを第１のメモリに書き込んだり、第２のメモリに書き込んだり、また第２のメモリに書き込まれたデータを第１のメモリへ転送したりすることができる構成になっている。
【００１７】
第１のメモリは着脱可能な構造になっており、コントローラ８では、その第１のメモリ４の装着有無情報がわかるようになっている。操作設定手段９は、ＲＥＣモードであることのコマンド指令情報や、画質と相関の高いデータ転送レート情報等の制御情報をコントローラ８へ供給する。表示手段１０は、カメラレコーダを操作するオペレータへ警告情報を発生する手段であり、液晶表示器や警告を意図する文字情報を発生させたりする手段である（後述する）。
【００１８】
次に、図２から図５のフローチャートをもとに、ＲＥＣモードの制御処理を説明する。ＲＥＣモード指示コマンドが操作設定手段９からコントローラ８へ入力され、ＲＥＣモード処理８０が起動されると、第１の記録モード処理１００、第２の記録モード処理２００、第３の記録モード処理３００のいずれかが記録モード判別チェック８１の処理を経て選択される。記録モード判別チェックには、記録モード判別フラグ情報を用いる。記録モード判別フラグ情報は、オペレータが操作設定手段９にて設定する記録モードの情報であり、第１の記録（ＲＥＣ−１）モード情報、第２の記録（ＲＥＣ−２）モード情報、または第３の記録（ＲＥＣ−３）モード情報がセットされる。
【００１９】
第１の記録（ＲＥＣ−１）モード処理１００は、図３のフローチャートに詳細制御が説明されており、圧縮データバッファ２から供給されるデータを、第１のメモリ４に書き込む処理を行うものである。
【００２０】
第２の記録（ＲＥＣ−２）モード処理２００は、図４のフローチャートに詳細制御が説明されており、圧縮データバッファ２から供給されるデータを、第２のメモリ６に書き込む処理を行うものである。
【００２１】
また第３の記録（ＲＥＣ−３）モード処理３００は、図５のフローチャートに詳細制御が説明されており、圧縮データバッファ２から供給されるデータを第２のメモリ６に書き込むと共に、第２のメモリ６に記録されたデータを第１のメモリ４へ転送する処理を行うものである。
【００２２】
ＲＥＣ−１モード処理１００は、通常記録、すなわち着脱可能な記録媒体である第１のメモリ４への記録の処理が実行される場合で、処理１０１にて第１のメモリの残量演算を行う。映像音声を高品位に記録する場合、デジタルデータの圧縮率が変わり、そのデータ記録レートも変わることが一般的に知られている。本発明の実施の形態においても、これらの記録レート情報が操作設定手段９からコントローラ８に供給されている。第１のメモリ４の残量は、第１のリードライト回路５を介してその記録可能な容量情報がコントローラ８に供給されている。そして、第１のメモリ４に対してあとどのくらいの時間記録できるかを表す残量時間は、この残量を前記記録レート情報で除算することで算出している。演算して得られた残量時間情報は、表示手段１０へ提供され、表示される。
【００２３】
次の処理１０２では、この残量時間が０になったかどうかを判定しており、まだ書き込みが可能な状態の場合は処理１０３へ進み、圧縮データの第１のメモリ４への書き込みがなされ、処理１９９にて一連の処理１００を終了する。処理１０２で、残量が０と判定され書き込みがこれ以上出来なくなった場合は、処理１０４へ移行して、第１のメモリ４に書き込みが出来なくなり別のメモリに交換を促す警告表示を行うよう表示手段１０に出力する。そして処理８１の判別に用いる記録モード判別フラグ情報が第２の記録（ＲＥＣ−２）モード情報にセットされ、処理１９９に移行して一連の処理を終了する。
【００２４】
次に第２の記録（ＲＥＣ−２）モード処理２００の説明を行う。ＲＥＣ−２モードは、第１のメモリ４が満杯になって記録出来なくなった状態から、ユーザが第１のメモリを別のメモリに交換するまで、第２のメモリへ臨時記録する場合の制御処理である。
【００２５】
記録モード判別チェック処理８１でＲＥＣ−２モードが選択されると、処理２０１へ進み、圧縮データバッファ２から供給される圧縮データが、第２のリードライト回路７を介して第２のメモリ６に書き込まれる。第２のメモリ６の残量と操作設定手段９から供給された書き込み速度レート情報から、第２のメモリ６の残量時間が処理２０２にて演算される。
【００２６】
次に処理２０３で、この第２のメモリ残量が０になっているかどうかを判定し、０でない場合は処理２０４へ進み、第２のメモリに撮影すべきデータが記録されているという“通常記録”でなく“臨時記録”であるというステータス情報と、前述の残量時間情報を表示手段１０へ出力する。この残量時間とは、撮影すべき情報が着脱可能な第１のメモリ４に記録できなくなったときの、臨時記録モードで第２のメモリ６に対して救済的に記録を継続できる時間を意味している。なお、第２のメモリも満杯となり残量０になると、撮影すべき情報が一旦途絶えてしまうことになる。
【００２７】
処理２０４の次には処理２０５へ進み、第１のメモリ６が別の新たな記録媒体に交換され装着されたかどうかをチェックする。パーソナルコンピュータの周辺装置ではホットスワップと呼ばれ、電源が投入された状態でデバイスを外したり接続したりすることができるようになっており、本発明の第１の着脱型メモリも同様な技術が用いられている。処理２０５にて第１のメモリが別のものに交換されたことが検出されると、処理２０６に進み記録モード判別フラグを第３のモード（ＲＥＣ−３）にセットし、処理２９９へ進んで一連の処理２００を終了する。処理２０５にてまだ第１のメモリが交換中（メモリスロットに何も装着されていない）または交換されていないと判断された場合は、処理２９９へ進む。また処理２０３にて、第２のメモリ６の残量が０と判定された場合は、処理２０７へと進み異常表示を行う。この場合の異常表示は、前述したように第１のメモリが満杯になって第２のメモリへ臨時記録を行っている中で、この第２のメモリにも書き込みが出来なくなったことを示しており、撮影データが一旦途切れたことを意味するものであり、表示手段１０によって操作者に警告を与える処理が行われる。そして処理２０８で、ＲＥＣ−２モードであるフラッグをリセット処理し、処理２９９へ進んで一連の処理２００を終了させる。
【００２８】
次に第３の記録（ＲＥＣ−３）モード処理３００の説明を行う。ＲＥＣ−３モードは臨時で第２のメモリ６に記録されたデータを、第１のメモリ４へ高速転送するための処理である。ＲＥＣ−２モードにて記録動作中に、空き容量のある新たな第１のメモリ４が装着されると、記録モード判別処理チェック８１でＲＥＣ−３モードと判定されて処理３０１へ進み、データ転送処理が開始される。この第２のメモリ６から第１のメモリ４へのデータ転送は、第２のリードライト回路７、第１のリードライト回路５がコントローラ８によって制御される形態で実施されるものである。
【００２９】
第２のメモリ６から第１のメモリ４へデータ転送が完了したかどうかは処理３０２でチェックされる。まだ第２のメモリにデータが残っており転送が完了していない場合は処理３０５へ進み、記録すべき圧縮データバッファ２の状況を監視する。圧縮データバッファ２にまだ圧縮データをバッファリングできる余地がある場合は、第２のメモリへのメモリ書き込み要求信号が無いので、再び処理３０１へ戻り第２のメモリから第１のメモリへの高速転送処理を継続する。
【００３０】
処理３０５にて圧縮データバッファ２がメモリ書き込み要求信号を発生させた場合は、第２のメモリから第１のメモリへの転送処理を一旦中断し、圧縮データバッファ２にバッファリングされている記録すべき圧縮データ３を第２のメモリへ書き込む（処理３０６）。
【００３１】
第１のメモリが新たなメモリに交換されたときにデータが第２のメモリから第１のメモリに転送される転送レートは、圧縮データ生成手段１から供給される記録すべき圧縮データのレートよりも高速処理ができるような構成になっている。このため、第２のメモリ６ではこのＲＥＣ−３モード処理においては読み出しと書き込みが交互に行われることになるが、時間の経過とともに第２のメモリ６に記録された書き込み量は減少していく（メモリ残量は増加していく）。処理３０６にて圧縮データが第２のメモリ６に書き込まれると、次に処理３０７にて、第２のメモリの残量演算を行い、この残量が０か否かを処理３０８にて実施する。処理３０８にてこの残量が０でないと判断された場合は、処理３９９へ進み一連の処理３００を抜ける。
【００３２】
処理３０８にて第２のメモリ６の残量が０と判断された場合は、臨時記録されたデータのデータ転送処理途中で、新たな記録圧縮データが第２のメモリ６へ追加記録され、これが溢れたという異常状態を示しており、処理３０９へ進み異常状態であることの表示処理を行い、処理３１０でＲＥＣ−３モードのフラグをリセット処理して、処理３９９へ進み一連の処理３００を終える。
【００３３】
第２のメモリに臨時記録されたデータは、第１のメモリへ高速に転送され（処理３０１）、途中では新たに圧縮データバッファにバッファリングされた圧縮データを書き込まれ（処理３０６）、これらの処理を繰り返しながら臨時記録されたデータを減少してゆき、とうとう処理３０２でデータ転送が完了したことを検出すると、処理３０３へと進み第２のメモリをクリアまたは上書き許可状態にして、ＲＥＣ−３モードのフラグをリセット（処理３０４）、そして第１の記録（ＲＥＣ−１）モードのフラグをセット（処理３１１）し処理３９９へ進み一連の処理３００の処理を終える。
【００３４】
臨時記録されたデータの新たな第１のメモリへの転送が完了すると、記録モード判別用フラグはＲＥＣ−１のフラグがセットされた状態になっており、図２の処理８１で、今度は処理１００が選択され、上記の転送処理に引き続いて撮影データが第１のメモリへ書き込まれていく。
【００３５】
以上のようにして、カメラレコーダで撮影された圧縮データは、着脱型の第１のメモリの記録容量以上の長時間記録に対しても、この第１のメモリを交換しながら、これら複数個のメモリに連続性を保って記録される。そしてこの交換操作中は、撮影データの連続性を確保するために残された作業時間が表示され、交換作業を促す警告表示がなされている。
【００３６】
第２のメモリ容量を大きくすれば、第１の着脱型メモリ交換作業に時間がかかっても連続性を保つことが実現できるのは言うまでもない。
【００３７】
本実施の形態では、第３の記録（ＲＥＣ−３）モードにおいては、第２のメモリから第１のメモリへデータ転送を行いながら、新たに生成された圧縮データを並行して第２のメモリへ書き込むとしたが、圧縮データバッファ２にバッファリングされた圧縮データは直接第１のメモリへ記録するようにしてもよい。その場合、時間的に連続するデータが記録媒体上で連続するように、第２のメモリに記録されているデータであって第１のメモリには未転送のデータについては、第１のメモリ上にこれらのデータを書き込む領域を確保しておき、第２のメモリからの転送が完了した時点で、全圧縮データが連続に配置されるようにしておくことも可能である。
【００３８】
本実施の形態では、第１のメモリのみ着脱型メモリである例で説明したが、第２のメモリも第１のメモリ同様着脱型メモリであっても、同様の効果を得ることが可能である。この場合、第１のメモリの残量が０になったら第２のメモリ側へ記録を移行し、第２のメモリが満杯になったら、今度は第１のメモリに装備された別のものに記録を移すように、第１，第２のメモリを交互に記録して連続性を保つように制御することも可能である。
【００３９】
なお、以上の説明では、記録媒体としてメモリを例にして説明したが、これに制約されるものでなく、ハードディスクや光ディスクの記録媒体でも同様に実施可能である。
【産業上の利用可能性】
【００４０】
本発明によれば、着脱可能な記録媒体に対して連続性を保って記録ができ、しかも着脱型の記録媒体交換を促す警告表示をすることで操作者へ安心感を与えたり操作の失敗が発生しにくいため、長時間の連続記録を必要とする情報記録装置にも適用できる。
【図面の簡単な説明】
【００４１】
【図１】本発明の一実施の形態による情報記録装置の構成を示すブロック図
【図２】図１のコントローラ８における記録モード処理の概要を示すフローチャート
【図３】図１のコントローラ８における第１の記録モード処理の制御を示すフローチャート
【図４】図１のコントローラ８における第２の記録モード処理の制御を示すフローチャート
【図５】図１のコントローラ８における第３の記録モード処理の制御を示すフローチャート
【符号の説明】
【００４２】
１    ・・・圧縮データ生成手段
２    ・・・圧縮データバッファ
４    ・・・第１のメモリ
５    ・・・第１のリードライト回路
６    ・・・第２のメモリ
７    ・・・第２のリードライト回路
８    ・・・コントローラ
９    ・・・操作設定手段
１０  ・・・表示手段
１００・・・第１の記録モード処理
２００・・・第２の記録モード処理
３００・・・第３の記録モード処理
【図１】
2005108371.tif 000003
【図２】
2005108371.tif 000004
【図３】
2005108371.tif 000005
【図４】
2005108371.tif 000006
【図５】
2005108371.tif 000007